(57)【特許請求の範囲】
【請求項１】
調節可能整合インピーダンスを提供するための調節可能インピーダンス整合ネットワークであって、前記整合ネットワークは下記を備える、
周波数情報および目標基準値に基づいて、前記整合インピーダンスの虚数部の値を変更しながら、一定のコンダクタンスを保って前記整合インピーダンスの実数部の値を調節するように適応される第１のインピーダンス調節手段、ここにおいて、前記調節の方向は、少なくとも前記整合インピーダンスの前記虚数部の符号に基づく、と、
予め定められた値に等しくなるように前記第１のインピーダンス調節手段によって調節された前記整合インピーダンスの前記虚数部の前記値を調節するよう適応される第２のインピーダンス調節手段と、
前記第１のインピーダンス調節手段と前記第２のインピーダンス調節手段との間で結合され、前記周波数情報の関数として制御ループの前記符号を設定するよう構成された乗算器回路、前記乗算器回路は、前記目標基準値の前記符号を反転させるよう構成された第１の乗算器と、ゲインの傾斜を設定するために前記制御ループのエラー信号の前記符号を反転させるよう構成された第２の乗算器とを備える。
【請求項２】
前記予め定められた値はゼロに等しい、請求項１に記載の整合ネットワーク。
【請求項３】
前記第１のインピーダンス調節手段は、並列ＬＣネットワークを含む、請求項１に記載の整合ネットワーク。
【請求項４】
前記第２のインピーダンス調節手段は、直列ＬＣネットワークを含む、請求項１に記載の整合ネットワーク。
【請求項５】
前記第１および第２のインピーダンス調節手段のうちの少なくとも１つは、ＲＦ−ＭＥＭＳデバイスのスイッチドキャパシタアレイを含む、請求項１に記載の整合ネットワーク。
【請求項６】
前記周波数情報は、動作周波数帯域を示す情報を含む、請求項１に記載の整合ネットワーク。
【請求項７】
前記第１および第２のインピーダンス調節手段は、前記周波数情報が低周波数帯域を示す場合には、スミスチャートの誘導性領域で前記整合インピーダンスの値を調節し、前記周波数情報が高周波数帯域を示す場合には、前記スミスチャートの容量性領域で前記整合インピーダンスの前記値を調節するよう適応されている、請求項６に記載の整合ネットワーク。
【請求項８】
請求項１に記載の調節可能インピーダンス整合ネットワークを含む、電子デバイス。
【請求項９】
無線通信ユニットとの間で信号を送受信するよう適応されたアンテナをさらに含み、前記目標基準値が前記アンテナのインピーダンスと整合している、請求項８に記載の電子デバイス。
【請求項１０】
調節可能整合インピーダンスを提供するための調節可能インピーダンス整合ネットワークを制御する方法であって、前記方法は下記のステップを備える、
周波数情報および目標基準値に基づいて、前記整合インピーダンスの虚数部の値を変更しながら、一定のコンダクタンスを保って前記整合インピーダンスの実数部の値を調節するステップと、ここにおいて、前記調節の方向が少なくとも前記整合インピーダンスの前記虚数部の符号に基づく、と、
予め定められた値に等しくなるように、前記整合インピーダンスの前記実数部の前記値を調節する前記ステップによって調節された前記整合インピーダンスの前記虚数部の前記値を調節するステップと、
前記周波数情報の関数として制御ループの前記符号を設定するステップ、ここにおいて、前記周波数情報の関数として制御ループの前記符号を設定するステップは、前記目標基準値の前記符号を反転させることを行うよう構成された第１の乗算器と、ゲインの傾斜を設定するために前記制御ループのエラー信号の前記符号を反転させる第２の乗算器とを備える。
【請求項１１】
前記予め定められた値はゼロに等しい、請求項１０に記載の方法。
【請求項１２】
前記整合インピーダンスの前記実数部の前記値を調節する前記ステップは、並列ＬＣネットワークの少なくとも１つの要素のパラメータを修正することを含む、請求項１０に記載の方法。
【請求項１３】
前記整合インピーダンスの前記虚数部の前記値を調節する前記ステップは、直列ＬＣネットワークの少なくとも１つの要素のパラメータを修正することを含む、請求項１０に記載の方法。
【請求項１４】
前記周波数情報は、動作周波数帯域を示す情報を含む、請求項１０に記載の方法。
【請求項１５】
前記整合インピーダンスの前記虚数部の前記値を調節するステップは、前記周波数情報が低周波数帯域を示す場合には、スミスチャートの誘導性領域で前記整合インピーダンスの値を調節し、前記周波数情報が高周波数帯域を示す場合には、前記スミスチャートの容量性領域で前記整合インピーダンスの前記値を調節することを含む、請求項１０に記載の方法。
【請求項１６】
請求項１０の前記すべてのステップを行なうよう適応されたコンピュータプログラムコード手段を含むコンピュータプログラムであって、前記プログラムはコンピュータ上で実行される、コンピュータプログラム。
【請求項１７】
コンピュータ読取可能媒体上に具体化された、請求項１６に記載のコンピュータプログラム。
【発明の詳細な説明】
【技術分野】
【０００１】
この発明は、電子デバイスで使用するための適応インピーダンス整合ネットワークに関し、特に、無線周波数マイクロ電気機械システムデバイスとともに使用するためのマルチバンド適応インピーダンス整合ネットワークに関する。
【背景技術】
【０００２】
適応インピーダンス整合ネットワークは、電気および電子工学の分野で公知である。そのようなネットワークは、適応整合ネットワークの制御アルゴリズムを簡略化するために、分散された作動および検出を利用する場合がある。
【発明の概要】
【０００３】
そのようなインピーダンス整合ネットワークに関連する問題は、インピーダンス整合範囲が制限される場合があることである。たとえば、インピーダンス整合ネットワークは、可変素子（キャパシタおよび／またはインダクタ）の同調範囲および動作周波数によって制限される整合範囲を有する可変ＬＣネットワークを含む場合がある。
【０００４】
図１は、適応アンテナ整合ネットワークと適応負荷線とを含む従来のＧＳＭ（登録商標）／ＵＭＴＳフロントエンドのブロック図である。そのような構成には多数の欠点が関連している。（特にマルチバンド動作用の）インピーダンス同調範囲の制限は、特有の問題である。
【０００５】
言い換えると、可変キャパシタ（およびインダクタ）の制限された同調範囲は、可変ネットワークのインピーダンス整合範囲を制限する。さらに、可変ネットワークのインピーダンス整合の範囲は、周波数依存性であることが多い。
【０００６】
無線周波数マイクロ電気機械システム（ＲＦ−ＭＥＭＳ）デバイスのＣｏｎ／Ｃｏｆｆ比は比較的大きいものの、整合範囲の改良が依然として望ましい。なぜなら、電子デバイス間のインピーダンス不整合（たとえばアンテナ不整合）が極端となり得るためである。負荷線適応の場合、インピーダンス同調範囲が大きいことが望ましい。なぜなら、出力パワーレベルが幅広い範囲にわたって変わるためである。マルチバンド用途の場合、追加の同調範囲が必要となる場合もある。
【課題を解決するための手段】
【０００７】
この発明によれば、調節可能整合インピーダンスを提供するための調節可能インピーダンス整合ネットワークであって、周波数情報および目標基準値に基づいて、整合インピーダンスの虚数部の値を変更しながら、整合インピーダンスの実数部の値を調節するよう適応された第１のインピーダンス調節手段と、整合インピーダンスの虚数部の値を、予め定められた値に実質的に等しくなるように調節するよう適応された第２のインピーダンス調節手段とを含む、調節可能インピーダンス整合ネットワークが提供される。
【０００８】
この発明の別の局面によれば、調節可能整合インピーダンスを提供するための調節可能インピーダンス整合ネットワークを制御する方法であって、周波数情報および目標基準値に基づいて、整合インピーダンスの虚数部の値を変更しながら、整合インピーダンスの実数部の値を調節するステップと、整合インピーダンスの虚数部の値を、予め定められた値に実質的に等しくなるように調節するステップとを含む、方法が提供される。
【０００９】
このため、この発明は、２つ以上の周波数帯域におけるインピーダンス整合範囲の改良を提供するために使用可能である。アンテナ不整合を補償するために、または最適なパワートランジスタ負荷インピーダンス（負荷線）を設定するために、実施例が使用可能である。
【００１０】
この発明の実施例はしたがって、適応アンテナ整合、負荷線適応、および他のＲＦ再構成可能ネットワークのために、ＲＦ−ＭＥＭＳまたは他の同調可能素子を用いたマルチモード、マルチスタンダードの無線通信デバイス（電話、ラップトップ、ＰＤＡ、ヘッドセット…）で使用されてもよい。
【００１１】
この発明の実施例を、単なる例示として、添付図面を参照してここに説明する。
【図面の簡単な説明】
【００１２】
【図１】適応アンテナ整合ネットワークと適応負荷線とを含む従来のＧＳＭ／ＵＭＴＳフロントエンドのブロック図である。
【図２ａ】この発明の一実施例による調節可能インピーダンス整合ネットワークを制御する方法を示すスミスチャートである。
【図２ｂ】この発明の一実施例による調節可能インピーダンス整合ネットワークを制御する方法を示すスミスチャートである。
【図３ａ】低周波数帯域動作に関する、サセプタンスＢｔｏｔに対する整合されたインピーダンスＲｍおよびリアクタンスＸｍの関係を示すグラフである。
【図３ｂ】高周波数帯域動作に関する、サセプタンスＢｔｏｔに対する整合されたインピーダンスＲｍおよびリアクタンスＸｍの関係を示すグラフである。
【図４ａ】この発明の一実施例による調節可能インピーダンス整合ネットワークのブロック図である。
【図４ｂ】この発明の代替的な一実施例による調節可能インピーダンス整合ネットワークのブロック図である。
【図５】この発明のさらに別の実施例による調節可能インピーダンス整合ネットワークのブロック図である。
【図６】この発明の一実施例による調節可能インピーダンス整合ネットワークに関するシミュレーション結果を示すスミスチャートである。
【発明を実施するための形態】
【００１３】
全体を通し、同様の参照符号は同様の要素を示す。
【００１４】
実施例は、キャパシタンス同調範囲に対する要件が緩和されるように、インピーダンスネットワークの特性を利用している。これは、整合インピーダンスの実数部を制御するための、周波数帯域に依存した基準を用いることによって達成される。言い換えると、整合インピーダンスの実数部は、動作周波数に基づいて、目標値に整合される。動作周波数は、最適な補償方法を決定するために使用され、それにより、可変キャパシタにとって必要とされるＣｍｉｎ／Ｃｍａｘ比などの要素要件を緩和させる。
【００１５】
整合ネットワークを適応させる制御基準が周波数帯域に依存するようにすると、追加の自由度が得られる。
【００１６】
インピーダンスの実数部の整合は、並列ＬＣネットワークを用いた一定のコンダクタンスの円形セグメントにわたる回転を介して、図２に示すようなスミスチャートの誘導側または容量側へと行なわれてもよい。スミスチャートの最適な側は、動作周波数に依存する。
【００１７】
可変キャパシタの中間周波数範囲（中間位置）では、シャントＬＣネットワークは、低周波数帯域では誘導的に、高周波数帯域では容量的に挙動する。インピーダンスの実数部の整合が、低周波数帯域ではスミスチャートの誘導側を介して、高周波数帯域ではスミスチャートの容量側を介して行なわれる場合、必要とされるインピーダンス変換はより少なくなる。
【００１８】
図２ａの右側のスミスチャートに示すように、低周波数帯域については、整合インピーダンスの虚数部（Ｘｍ）の値に実質的に変更／影響を及ぼしながら、整合インピーダンスの実数部Ｒｍの値が、スミスチャートの誘導側（上側）で調節される。スミスチャート上で視覚化すると、そのような調節は、たとえば矢印Ａによって示されるような、一定のコンダクタンスの線に沿った、スミスチャートの上半分（誘導側）における回転として見られる。
【００１９】
逆に、図２ｂの右側のスミスチャートに示すように、高周波数帯域については、整合インピーダンスの虚数部（Ｘｍ）の値に実質的に変更／影響を及ぼしながら、整合インピーダンスの実数部Ｒｍの値が、スミスチャートの容量側（下側）で調節される。スミスチャート上で視覚化すると、そのような調節は、たとえば矢印Ｃによって示されるような、一定のコンダクタンスの線に沿った、スミスチャートの下半分（容量側）における回転として見られる。
【００２０】
そのような調節（スミスチャートの１セグメントにわたる回転）の後、整合インピーダンスはゼロでない虚数部を有する（なぜなら、それはスミスチャートの水平軸上にはないためである）ことが理解されるであろう。結果として生じるこのインピーダンスの虚数部は、たとえば可変直列キャパシタを有する直列ＬＣネットワークを用いることによってチューンアウトされる（すなわち、ゼロに等しくなるよう調節される）。
【００２１】
直列ＬＣネットワークは、低周波数帯域では容量的に、高周波数帯域では誘導的に挙動する。したがって、低周波数帯域では、直列ＬＣネットワークは誘導性インピーダンスを補償するのに最も適しており、一方、高周波数帯域では、直列ＬＣネットワークは容量性インピーダンスを補償するのに最も適している。したがって、スミスチャートの比較的大部分が、２つ以上の周波数帯域におけるキャパシタの制限された同調範囲でカバー可能である。
【００２２】
たとえば、図２ａの左側のスミスチャートに示すように、低周波数帯域については、整合インピーダンスの虚数部（Ｘｍ）の値は、実質的にゼロに等しくなるように、スミスチャートの誘導側で調節され、それにより、整合インピーダンスの実数部（Ｒｍ）を、目標基準値（Ｒｒｅｆ）に実質的に等しくなるよう維持する。スミスチャート上で視覚化すると、そのような調節は、たとえば矢印Ｂによって示されるような、スミスチャートの上半分における、一定の抵抗の円形セグメントにわたる回転として見られる。
【００２３】
逆に、図２ｂの左側のスミスチャートに示すように、高周波数帯域については、整合インピーダンスの虚数部（Ｘｍ）の値は、実質的にゼロに等しくなるように、スミスチャートの容量側で調節され、それにより、整合インピーダンスの実数部（Ｒｍ）を、目標基準値（Ｒｒｅｆ）に実質的に等しくなるよう維持する。スミスチャート上で視覚化すると、そのような調節は、たとえば矢印Ｄによって示されるような、スミスチャートの下半分（容量側）における回転として見られる。
【００２４】
制御ループがスミスチャートの適切な側を介してインピーダンスを適応させることを確実にするために、Ｘｍの符号／極性に関する情報を用いて、ループを制御し、必要であればそれを正しい方向に強制してもよい。
【００２５】
上述のように、スミスチャートの最適な側は、動作周波数帯域に依存している。このため、動作周波数に関する、より特定的には動作周波数帯域に関する情報を用いて、強制の方向（すなわち、インピーダンスが調節されるスミスチャートの半分）を設定することができる。
【００２６】
スミスチャートの誘導側では、ループゲインの符号は、スミスチャートの容量側のものとは反対である。このため、必要とされる解へのループの適正な収束を確実にするために、周波数情報を用いてループゲインの符号を設定することが可能である。
【００２７】
図３には、整合インピーダンスの実数部Ｒｍが、サセプタンスＢｔｏｔの正の値または負の値で得られ得ることが示されている。これは、二次関係により、２つの解が存在するためである。しかしながら、整合されたリアクタンスＸｍの符号を用いると、これらの解を識別することができる。
【００２８】
（物理的理由により）Ｒｍは常に正であるため、Ｘｍの符号／極性は、検出が行なわれる中間ノードにおけるインピーダンスＺｍの位相の符号／極性に等しい。
【００２９】
整合インピーダンスＲｍの動作点の周囲の勾配または傾斜ｄ（Ｒｍ）／ｄ（Ｂｔｏｔ）は、グラフの各側で異なる（すなわち、整合されたリアクタンスＸｍの符号）。このため、勾配またはゲインの符号は、低周波数帯域動作と高周波数帯域動作とでは異なる。
【００３０】
低周波数帯域動作について、サセプタンスＢｔｏｔの値が正（すなわち容量性）である場合、制御ループを強制的にサセプタンスＢｔｏｔの負の値（すなわち誘導性）にすることが望ましい。逆に、高周波数帯域動作について、サセプタンスＢｔｏｔの値が負（すなわち誘導性）である場合、制御ループを強制的にサセプタンスＢｔｏｔの正の値（すなわち容量性）にすることが望ましい。
【００３１】
この発明の一実施例による調節可能インピーダンス整合ネットワークのブロック図を、図４ａに示す。
【００３２】
時分割多重アクセス（ＴＤＭＡ）受信モード（Ｒｘモード）では、適応用に利用可能な信号はない。送信（Ｔｘ）帯域と受信（Ｒｘ）帯域とで周波数が異なるため、記憶された送信モード（Ｔｘモード）設定を使用することが次善の策である。
【００３３】
符号分割多重アクセス（ＣＤＭＡ）モードでは、ＲｘおよびＴｘは異なる周波数で同時に起こる。適応はＴｘ帯域で起こるため、Ｒｘでの次善の性能が期待できる。
【００３４】
たとえばデバイス間のハンドオーバーのために必要とされ得るバンドスイッチングは、最適になるまで新たに反復することを要する。
【００３５】
アイドルモードでは、送信機は短期間の間、ほんの時たまオンとなる。これらの「オン」期間同士の間で、大きなアンテナインピーダンス変動が起こる場合がある。
【００３６】
これらの問題は、（ベースバンドコントローラからの）演繹的知識を用いて整合ネットワークをプリセット、オフセット、または離調する場合に、より良好に対処可能であり、それは、アルゴリズムがソフトウェアで実現されている場合に容易に行なわれ得る。
【００３７】
図４ａの実施例は、完全にハードウェアで実現されたスタンドアロンの適応ネットワークを仮定している。
【００３８】
整合インピーダンスの虚数部（Ｘｍ）の値を変更しながら、整合インピーダンスの実数部（Ｒｍ）の値を調節するための並列ＬＣネットワークを、「１０」と表示された点線のボックスで示す。
【００３９】
インピーダンスの虚数部（Ｘｍ）をチューンアウトするための直列ＬＣネットワークを、「１２」と表示された点線のボックスで示す。
【００４０】
周波数帯域に依存する制御基準を得るために、第１の乗算器１４および第２の乗算器１６（または、デジタル領域における排他的ＯＲ論理ユニット）が、点線のボックスで示されるようにネットワークに含まれている。これらの乗算器は、制御ループの符号を低／高周波数帯域情報の関数として設定するよう適応される。
【００４１】
第１の乗算器１４は、ループ制御に対して基準値の符号を反転させるよう構成されている。それは、必要に応じて適切な方向での強い押しを提供する。第２の乗算器１６は、ゲインの傾斜を設定するために制御ループのエラー信号の符号を反転させるよう構成されている。
【００４２】
インピーダンスＺｍの位相は、ノード電圧ｕの位相と分岐電流ｉの位相との間の位相差によって与えられる。この位相差は、両方の入力でリミッタを使用している平滑化キャパシタの左にある点線のミキサを用いて決定される。符号は、この平滑化キャパシタと乗算器１４との間に図示された点線のリミッタを用いて決定される。
【００４３】
可変キャパシタＣｐａｒおよびＣｓｅｒｉｅｓは、ＲＦ−ＭＥＭＳデバイスのスイッチドキャパシタアレイとして実現されている。それらの高電圧バイアシング（６０／３０Ｖ）は、３．５Ｖの供給電圧から、チャージポンプを用いて生成される。
【００４４】
また、これに代えて、（ＢＳＴ）バラクタ、もしくはＣＭＯＳまたはｐＨＥＭＴ ＲＦスイッチを用いた固定キャパシタが使用可能である。
【００４５】
代替的な実行例は、たとえば、ベースバンド信号処理を利用可能である。そのような代替的な一実施例を図４ｂに示す。これらの代替的な実行例は、たとえば、検出された情報をさらなる信号処理のためにデジタル領域に変換するために、Ａ−Ｄ変換器を利用可能である。
【００４６】
図４ａおよび図４ｂの実施例は、整合インピーダンス（Ｚｍ）の虚数部（Ｘｍ）の値を、実質的にゼロに等しくなるように調節するよう適応されていることが理解されるであろう。しかしながら、他の実施例では、整合インピーダンス（Ｚｍ）の虚数部（Ｘｍ）の値は、目標基準値（Ｒｒｅｆ）への実数部の調節と同様に、予め定められた基準値（Ｘｒｅｆ）に実質的に等しくなるように調節されてもよい。そのような一実施例を、（デュアルバンド制御基準が満たされていない）図５に示す。
【００４７】
図６では、この発明の一実施例による調節可能インピーダンス整合ネットワークに関するシミュレーション結果が、スミスチャート上に示されている。９００ＭＨｚおよび１８００ＭＨｚで、３０、８０、１３０＋ｊ（−１００、０、１００）の負荷インピーダンス（四角形）が、誘導側（スミスチャートの上半分の三角形）および容量側（スミスチャートの下半分の三角形）をそれぞれ介して、約２５オームの目標基準値（菱形）に適応される。
【００４８】
上述の実施例はこの発明を限定するというよりもむしろ例示しているということ、および、当業者であれば、添付された請求項によって定義されるようなこの発明の範囲から逸脱することなく、多くの代替的な実施例を設計可能であるということに留意されたい。
【００４９】
たとえば、周波数の変更は、以下の２つの方法で満たされ得る。
【００５０】
１．可変キャパシタのプリセットは、周波数サブバンド毎の工場較正データから行なうことができる。または、
２．プリセットは、周波数帯域変更に関するシステムデータと組合わされた、周波数サブバンド毎の最近得られた適応データとから行なうことができる。
【００５１】
第１の場合、適応ループは局所的に閉鎖可能であり、プリセットは、キャパシタ値を適応の初期化として規定するために使用されてもよい。
【００５２】
第２の場合、適応情報は記憶され、ベースバンドコントローラによって定期的に更新され得る。したがって、適応ループはベースバンドコントローラを介して閉鎖可能である。自己学習ソフトウェアアルゴリズムを用いて、キャパシタにとって最適な初期値を決定することが可能である。受信中、キャパシタの制御信号には、送信中に適応して見出された値に対するオフセットが提供され得る。
【００５３】
調節可能インピーダンス整合ネットワークの一実施例における除算器は、代替的に、対数領域における減算として実現可能であることも理解されるであろう。
【００５４】
実施例は、（ＢＳＴ）バラクタ、もしくは（シリコン・オン・インシュレータ）ＣＭＯＳまたはｐＨＥＭＴ技術で実現されるＲＦスイッチを用いた固定キャパシタを用いて実現され得る。
【００５５】
上述の実施例（および添付図面２〜６）は、インピーダンスネットワークのダウンコンバートに言及してきた。したがって、インピーダンスネットワークのアップコンバート（すなわち、入力と出力とが逆）のために、インピーダンスを適応させるための同様のアプローチが使用されてもよいことが理解されるであろう。
以下に、本願出願の当初の特許請求の範囲に記載された発明を付記する。
[Ｃ１]
調節可能整合インピーダンス（Ｚｍ）を提供するための調節可能インピーダンス整合ネットワークであって、
周波数情報および目標基準値（Ｒｒｅｆ）に基づいて、整合インピーダンスの虚数部（Ｘｍ）の値を変更しながら、整合インピーダンスの実数部（Ｒｍ）の値を調節するよう適応された第１のインピーダンス調節手段と、
整合インピーダンスの虚数部の値を、予め定められた値に実質的に等しくなるように調節するよう適応された第２のインピーダンス調節手段とを含む、調節可能インピーダンス整合ネットワーク。
[Ｃ２]
前記予め定められた値はゼロに等しい、Ｃ１に記載の整合ネットワーク。
[Ｃ３]
前記第１のインピーダンス調節手段は、並列ＬＣネットワークを含む、Ｃ１または２に記載の整合ネットワーク。
[Ｃ４]
前記第２のインピーダンス調節手段は、直列ＬＣネットワークを含む、Ｃ１、２または３に記載の整合ネットワーク。
[Ｃ５]
前記第１および第２のインピーダンス調節手段のうちの少なくとも１つは、ＲＦ−ＭＥＭＳデバイスのスイッチドキャパシタアレイを含む、先行するいずれかのＣに記載の整合ネットワーク。
[Ｃ６]
前記周波数情報は、動作周波数帯域を示す情報を含む、先行するいずれかのＣに記載の整合ネットワーク。
[Ｃ７]
前記第１および第２のインピーダンス調節手段は、前記周波数情報が低周波数帯域を示す場合には、スミスチャートの誘導性領域で整合インピーダンスの値を調節し、前記周波数情報が高周波数帯域を示す場合には、スミスチャートの容量性領域で整合インピーダンスの値を調節するよう適応されている、Ｃ６に記載の整合ネットワーク。
[Ｃ８]
先行するいずれかのＣに記載の調節可能インピーダンス整合ネットワークを含む、電子デバイス。
[Ｃ９]
無線通信ユニットとの間で信号を送受信するよう適応されたアンテナをさらに含み、前記目標基準値（Ｒｒｅｆ）が前記アンテナのインピーダンスと実質的に整合している、Ｃ８に記載の電子デバイス。
[Ｃ１０]
調節可能整合インピーダンス（Ｒｍ）を提供するための調節可能インピーダンス整合ネットワークを制御する方法であって、
周波数情報および目標基準値（Ｒｒｅｆ）に基づいて、整合インピーダンスの虚数部（Ｘｍ）の値を変更しながら、整合インピーダンスの実数部（Ｒｍ）の値を調節するステップと、
整合インピーダンスの虚数部の値を、予め定められた値に実質的に等しくなるように調節するステップとを含む、方法。
[Ｃ１１]
前記予め定められた値はゼロに等しい、Ｃ１０に記載の方法。
[Ｃ１２]
前記整合インピーダンスの虚数部（Ｘｍ）の値を変更しながら、整合インピーダンスの実数部（Ｒｍ）の値を調節するステップは、並列ＬＣネットワークの少なくとも１つの要素のパラメータを修正することを含む、Ｃ１０または１１に記載の方法。
[Ｃ１３]
前記整合インピーダンスの虚数部の値を、予め定められた値に実質的に等しくなるように調節するステップは、直列ＬＣネットワークの少なくとも１つの要素のパラメータを修正することを含む、Ｃ１０、１１または１２に記載の方法。
[Ｃ１４]
前記周波数情報は、動作周波数帯域を示す情報を含む、Ｃ１０〜１３のいずれかに記載の方法。
[Ｃ１５]
前記整合インピーダンスの虚数部（Ｘｍ）の値を調節するステップは、前記周波数情報が低周波数帯域を示す場合には、スミスチャートの誘導性領域で整合インピーダンスの値を調節し、前記周波数情報が高周波数帯域を示す場合には、スミスチャートの容量性領域で整合インピーダンスの値を調節することを含む、Ｃ１０〜１４のいずれかに記載の方法。
[Ｃ１６]
Ｃ１０〜１５のいずれかのステップをすべて行なうよう適応されたコンピュータプログラムコード手段を含むコンピュータプログラムであって、前記プログラムはコンピュータ上で実行される、コンピュータプログラム。
[Ｃ１７]
コンピュータ読取可能媒体上に具体化された、Ｃ１６に記載のコンピュータプログラム。
【図１】
0006258270.tif 000002
【図２ａ】
0006258270.tif 000003
【図２ｂ】
0006258270.tif 000004
【図３ａ】
0006258270.tif 000005
【図３ｂ】
0006258270.tif 000006
【図４ａ】
0006258270.tif 000007
【図４ｂ】
0006258270.tif 000008
【図５】
0006258270.tif 000009
【図６】
0006258270.tif 000010